【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
仮想入力デバイスをディスプレイに表示し、この仮想入力デバイスに対する操作に応じた文字をターゲットの文字入力ウィンドウに入力する文字入力手段と、
前記ディスプレイに前記仮想入力デバイスが表示されているかどうか、及び、前記ターゲットの文字入力ウィンドウがパスワード入力ウィンドウであるかどうか、を判定する判定手段と、
前記ディスプレイに表示される画像を外部機器に出力する出力手段と、
を備え、
前記出力手段は、前記判定手段で前記ディスプレイに前記仮想入力デバイスが表示されており、かつ、前記ターゲットの文字入力ウィンドウがパスワード入力ウィンドウであると判定された場合は、前記ディスプレイに表示される画像の出力を停止することを特徴とする情報処理装置。
【請求項２】
仮想入力デバイスをディスプレイに表示し、この仮想入力デバイスに対する操作に応じた文字をターゲットの文字入力ウィンドウに入力する文字入力手段と、
前記ディスプレイに前記仮想入力デバイスが表示されているかどうか、及び、前記ターゲットの文字入力ウィンドウがパスワード入力ウィンドウであるかどうか、を判定する判定手段と、
前記ディスプレイに表示される画像を外部機器に出力する出力手段と、
を備え、
前記出力手段は、前記判定手段で前記ディスプレイに前記仮想入力デバイスが表示されており、かつ、前記ターゲットの文字入力ウィンドウがパスワード入力ウィンドウであると判定された場合は、前記ディスプレイに表示されている画像を、前記仮想入力デバイスの画像部分に所定の画像をはめ込んだうえで出力することを特徴とする情報処理装置。
【請求項３】
仮想入力デバイスをディスプレイに表示し、この仮想入力デバイスに対する操作に応じた文字をターゲットの文字入力ウィンドウに入力する文字入力手段と、
前記ディスプレイに前記仮想入力デバイスが表示されているかどうか、及び、前記ターゲットの文字入力ウィンドウがパスワード入力ウィンドウであるかどうか、を判定する判定手段と、
前記ディスプレイに表示される画像を外部機器に出力する出力手段と、
を備え、
前記出力手段は、前記判定手段で前記ディスプレイに前記仮想入力デバイスが表示されており、かつ、前記ターゲットの文字入力ウィンドウがパスワード入力ウィンドウであると判定された場合、前記仮想入力デバイスを介して前記パスワード入力ウィンドウへの文字入力が行われている期間中は、前記ディスプレイに表示される画像の出力を停止することを特徴とする情報処理装置。
【請求項４】
仮想入力デバイスをディスプレイに表示し、この仮想入力デバイスに対する操作に応じた文字をターゲットの文字入力ウィンドウに入力する文字入力手段と、
前記ディスプレイに前記仮想入力デバイスが表示されているかどうか、及び、前記ターゲットの文字入力ウィンドウがパスワード入力ウィンドウであるかどうか、を判定する判定手段と、
前記操作によって指示された文字キーの領域を強調表示させる表示制御手段と、
前記ディスプレイに表示される画像を外部機器に出力する出力手段と、
を備え、
前記表示制御手段は、前記判定手段で前記ディスプレイに前記仮想入力デバイスが表示されており、かつ、前記ターゲットの文字入力ウィンドウがパスワード入力ウィンドウであると判定された場合、前記仮想入力デバイスを介して前記パスワード入力ウィンドウへの文字入力が行われている期間中は、前記表示制御手段による前記強調表示を停止することを特徴とする情報処理装置。
【請求項５】
仮想入力デバイスをディスプレイに表示し、この仮想入力デバイスに対する操作に応じた文字をターゲットの文字入力ウィンドウに入力する文字入力ステップと、
前記ディスプレイに前記仮想入力デバイスが表示されているかどうか、及び、前記ターゲットの文字入力ウィンドウがパスワード入力ウィンドウであるかどうか、を判定する判定ステップと、
前記ディスプレイに表示される画像を外部機器に出力する出力ステップと、
を有し、
前記判定ステップで前記ディスプレイに前記仮想入力デバイスが表示されており、かつ、前記ターゲットの文字入力ウィンドウがパスワード入力ウィンドウであると判定された場合は、前記出力ステップの実行を停止することを特徴とする情報処理方法。
【請求項６】
仮想入力デバイスをディスプレイに表示し、この仮想入力デバイスに対する操作に応じた文字をターゲットの文字入力ウィンドウに入力する文字入力ステップと、
前記ディスプレイに前記仮想入力デバイスが表示されているかどうか、及び、前記ターゲットの文字入力ウィンドウがパスワード入力ウィンドウであるかどうか、を判定する判定ステップと、
前記ディスプレイに表示される画像を外部機器に出力する出力ステップと、
を有し、
前記出力ステップは、前記判定ステップで前記ディスプレイに前記仮想入力デバイスが表示されており、かつ、前記ターゲットの文字入力ウィンドウがパスワード入力ウィンドウであると判定された場合は、前記ディスプレイに表示されている画像を、前記仮想入力デバイスの画像部分に所定の画像をはめ込んだうえで出力することを特徴とする情報処理方法。
【請求項７】
仮想入力デバイスをディスプレイに表示し、この仮想入力デバイスに対する操作に応じた文字をターゲットの文字入力ウィンドウに入力する文字入力ステップと、
前記ディスプレイに前記仮想入力デバイスが表示されているかどうか、及び、前記ターゲットの文字入力ウィンドウがパスワード入力ウィンドウであるかどうか、を判定する判定ステップと、
前記ディスプレイに表示される画像を外部機器に出力する出力ステップと、
を有し、
前記判定ステップで前記ディスプレイに前記仮想入力デバイスが表示されており、かつ、前記ターゲットの文字入力ウィンドウがパスワード入力ウィンドウであると判定された場合、前記仮想入力デバイスを介して前記パスワード入力ウィンドウへの文字入力が行われている期間中は、前記出力ステップの実行を停止することを特徴とする情報処理方法。
【請求項８】
仮想入力デバイスをディスプレイに表示し、この仮想入力デバイスに対する操作に応じた文字をターゲットの文字入力ウィンドウに入力する文字入力ステップと、
前記ディスプレイに前記仮想入力デバイスが表示されているかどうか、及び、前記ターゲットの文字入力ウィンドウがパスワード入力ウィンドウであるかどうか、を判定する判定ステップと、
前記操作によって指示された文字キーの領域を強調表示させる表示制御ステップと、
前記ディスプレイに表示される画像を外部機器に出力する出力ステップと、
を有し、
前記判定ステップで前記ディスプレイに前記仮想入力デバイスが表示されており、かつ、前記ターゲットの文字入力ウィンドウがパスワード入力ウィンドウであると判定された場合、前記仮想入力デバイスを介して前記パスワード入力ウィンドウへの文字入力が行われている期間中は、前記表示制御ステップによる前記強調表示を停止することを特徴とする情報処理方法。
【請求項９】
請求項５から８までのいずれか１項に記載の情報処理方法をコンピュータに実行させるためのプログラム。
【請求項１０】
請求項９に記載のプログラムを格納したコンピュータ読み取り可能な記憶媒体。
【手続補正２】
【補正対象書類名】明細書
【補正対象項目名】０００８
【補正方法】変更
【補正の内容】
【０００８】
上記した課題を解決するために、例えば本発明の一側面に係る情報処理装置は、仮想入力デバイスをディスプレイに表示し、この仮想入力デバイスに対する操作に応じた文字をターゲットの文字入力ウィンドウに入力する文字入力手段と、前記ディスプレイに前記仮想入力デバイスが表示されているかどうか、及び、前記ターゲットの文字入力ウィンドウがパスワード入力ウィンドウであるかどうか、を判定する判定手段と、前記ディスプレイに表示される画像を外部機器に出力する出力手段とを備え、前記出力手段は、前記判定手段で前記ディスプレイに前記仮想入力デバイスが表示されており、かつ、前記ターゲットの文字入力ウィンドウがパスワード入力ウィンドウであると判定された場合は、前記ディスプレイに表示される画像の出力を停止することを特徴とする。
【手続補正３】
【補正対象書類名】明細書
【補正対象項目名】０００９
【補正方法】変更
【補正の内容】
【０００９】
本発明によれば、ディスプレイに表示した画像を外部に公開している状態で仮想キーボードを使用する場合のセキュリティを確保することができる情報処理装置および方法が提供される。